(57)【要約】【課題】表示部に正常な表示を行うことが可能な場合に不可能と判定するのを抑制することにより極力画質の低下を抑制することが可能な表示装置および表示システムを提供する。【解決手段】このテレビジョン装置１は、表示部１２と、ＨＤＭＩ端子１５と、ＨＤＭＩ端子１５を介して取得した映像信号の同期信号が不安定であると判定した状態が所定の第１時間（たとえば、２０秒）継続した場合に、ＥＤＩＤ（第１画質情報）に含まれる最高画質よりも低い画質からなる最も高い画質を含むＥＤＩＤ（第２画質情報）を、ハードディスクレコーダ２に、ＨＤＭＩ端子１５を介して送信するとともに、ＨＤＭＩ端子１５を介して受信したＥＤＩＤ（第２画質情報）の最も高い画質に基づいた映像信号を取得する制御を行うように構成されているＣＰＵ１１とを備える。【選択図】図１
2015139196.tif 000002
【特許請求の範囲】
【請求項１】
映像を表示する表示部と、
外部送信装置と所定のケーブルを介して接続可能に構成され、前記表示部が表示可能な最高画質を含む情報である第１画質情報を前記外部送信装置に送信するとともに、前記第１画質情報に基づいた映像信号を、前記外部送信装置から受信する接続部と、
受信した前記映像信号を取得する制御を行う制御部とを備え、
前記制御部は、前記接続部を介して取得した前記映像信号の同期信号が不安定であると判定した状態が所定の第１時間継続した場合に、前記第１画質情報に含まれる前記最高画質よりも低い画質からなる最も高い画質を含む情報である第２画質情報を、前記外部送信装置に、前記接続部を介して送信するとともに、前記接続部を介して受信した前記第２画質情報の最も高い前記画質に基づいた前記映像信号を取得する制御を行うように構成されている、表示装置。
【請求項２】
前記同期信号は、クロック信号と、水平同期信号と、垂直同期信号とを含み、
前記制御部は、前記クロック信号と前記水平同期信号と前記垂直同期信号とのうちの少なくとも２つの前記同期信号が不安定であるか否かを判定して、少なくとも２つの前記同期信号のうちのいずれかの前記同期信号が不安定であると判定した状態が所定の前記第１時間継続した場合に、前記第１画質情報に含まれる前記最高画質よりも低い前記画質からなる最も高い前記画質を含む情報である前記第２画質情報を、前記外部送信装置に、前記接続部を介して送信する制御を行うように構成されている、請求項１に記載の表示装置。
【請求項３】
前記制御部は、前記水平同期信号を取得した後、次に前記水平同期信号を取得するまでの期間に、前記クロック信号のクロック数が第１の所定の数と異なる数である場合、または、前記垂直同期信号を取得した後、次に前記垂直同期信号を取得するまでの期間に、前記水平同期信号の検出数が第２の所定の数と異なる数である場合に、前記同期信号が不安定であると判定して、前記同期信号が不安定であると判定した状態が所定の前記第１時間継続した場合に、前記第１画質情報に含まれる前記最高画質よりも低い前記画質からなる最も高い前記画質を含む情報である前記第２画質情報を、前記外部送信装置に前記接続部を介して送信する制御を行うように構成されている、請求項２に記載の表示装置。
【請求項４】
前記制御部は、前記第２画質情報に基づいた前記映像信号を前記外部送信装置から前記接続部に送信され、かつ、前記外部送信装置からの前記映像以外の映像が前記表示部に表示されている場合に、前記第１画質情報を、前記外部送信装置に送信する制御を行い、前記接続部を介して前記同期信号を取得して、取得した前記同期信号が不安定でないと判定した場合は、前記第２画質情報に代えて前記第１画質情報を前記外部送信装置に送信する制御を行うように構成されている、請求項１〜３のいずれか１項に記載の表示装置。
【請求項５】
前記制御部は、前記接続部を介して取得した前記同期信号が安定な状態が所定の第２時間継続した場合に、前記同期信号が不安定でないと判定して、前記第２画質情報に代えて前記第１画質情報を前記外部送信装置に送信する制御を行うように構成されている、請求項４に記載の表示装置。
【請求項６】
前記第２時間は、前記第１時間よりも短い、請求項５に記載の表示装置。
【請求項７】
前記制御部は、前記第２画質情報に基づいた前記映像信号を前記外部送信装置から受信している場合で、前記同期信号が所定の前記第１時間継続して不安定であると判定した場合は、前記第２画質情報に含まれる最も高い前記画質よりもさらに低い前記画質からなる最も高い前記画質を含む情報を、前記外部送信装置に送信する制御を行うように構成されている、請求項１〜６のいずれか１項に記載の表示装置。
【請求項８】
前記第１画質情報は、横方向の画素数が１９２０で、かつ、縦方向の画素数が１０８０である解像度を超える第１解像度に対応していることを示す第１解像度情報と、ディープカラー機能に対応していることを示すディープカラー情報とを含み、
前記第２画質情報は、前記第１解像度に対応していないことを示す第１非対応情報と、前記ディープカラーに対応していないことを示す第２非対応情報と、前記第１解像度よりも低い複数の第２解像度に対応する第２解像度情報とを含み、
前記制御部は、前記同期信号が所定の前記第１時間継続して不安定であると判定した場合は、前記第１非対応情報を含む前記第２画質情報を、前記外部送信装置に送信する制御を行い、前記第１非対応情報を含む前記第２画質情報を送信した後に、前記同期信号が所定の前記第１時間継続して不安定であると判定した場合は、前記第２非対応情報を含む前記第２画質情報を、前記外部送信装置に送信する制御を行い、前記第２非対応情報を含む前記第２画質情報を送信した後に、前記同期信号が所定の前記第１時間継続して不安定であると判定した場合は、判定毎に、前記第２解像度情報に対応する複数の解像度のうちの高い方から低い方に順次下げた最も高い解像度の情報を含む前記第２画質情報を、前記外部送信装置に送信する制御を行うように構成されている、請求項７に記載の表示装置。
【請求項９】
前記制御部は、表示装置本体の電源をオフの状態からオンの状態に切り替えた場合、前記表示装置本体の電源がオフされる直前のオンの状態に前記外部送信装置に送信した前記第１画質情報または前記第２画質情報を、前記外部送信装置に送信する制御を行うように構成されている、請求項１〜８のいずれか１項に記載の表示装置。
【請求項１０】
前記所定のケーブルは、ＨＤＭＩ規格に基づいて、前記映像信号と前記第１画質情報と前記第２画質情報とを伝達可能なＨＤＭＩケーブルである、請求項１〜９のいずれか１項に記載の表示装置。
【請求項１１】
表示装置から所定のケーブルを介して、前記表示装置の表示部が表示可能な最高画質を含む情報である第１画質情報を取得して、取得した第１画質情報に基づいた映像信号を前記表示装置に送信する送信装置と、
前記映像を表示する前記表示部と、前記送信装置と前記所定のケーブルを介して接続可能に構成され、前記送信装置に、前記第１画質情報を送信するとともに、前記第１画質情報に基づいた前記映像信号を、前記送信装置から受信する接続部と、受信した前記映像信号を取得する制御を行う表示装置側制御部とを含む、表示装置とを備え、
前記表示装置側制御部は、前記接続部を介して取得した前記映像信号の同期信号が不安定であると判定した状態が所定の第１時間継続した場合に、前記第１画質情報に含まれる前記最高画質よりも低い画質からなる最も高い画質を含む情報である第２画質情報を、前記送信装置に、前記接続部を介して送信するとともに、前記接続部を介して受信した前記第２画質情報の最も高い前記画質に基づいた前記映像信号を取得する制御を行うように構成されている、表示システム。
【発明の詳細な説明】
【技術分野】
【０００１】
この発明は、表示装置および表示システムに関し、特に、画質情報に基づいた映像信号を表示する表示部を備えた表示装置および表示システムに関する。
【背景技術】
【０００２】
従来、表示装置および表示システムに関し、特に、画質情報に基づいた映像を表示する表示部を備えた表示装置および表示システムが知られている（たとえば、特許文献１参照）。
【０００３】
上記特許文献１には、ソース機器から取得したコンテンツ（映像）を、設定された再生性能情報（画質情報）に対応して再生する表示部を備えたコンテンツ再生装置が開示されている。このコンテンツ再生装置では、映像信号における同期信号を検出して、検出された同期信号の周期が一定である場合（増減が予め定められた閾値よりも小さい）には正常表示可能と判定して、そうでない場合には正常表示不可能と判定する制御を行うように構成されている。また、上記コンテンツ再生装置は、正常表示不可能と判定した場合には、高い画質性能で再生させる画質情報から低い画質性能で再生させる画質情報に書き換えを行うように構成されている。ここで、低い画質性能の映像信号の同期信号は、高い画質性能の映像信号の同期信号に比べて周期が長く、映像信号の同期信号の周期が不安定になりにくい。これにより、上記コンテンツ再生装置は、映像信号の同期信号の周期が不安定になることに起因する正常な表示を表示部に行うことができなくなるという状態を抑制可能に構成されている。
【先行技術文献】
【特許文献】
【０００４】
【特許文献１】特開２０１１−１７２１４６号公報
【発明の概要】
【発明が解決しようとする課題】
【０００５】
ここで、上記特許文献１のコンテンツ再生装置では、同期信号の検出周期が一定でない場合には、高い画質性能で再生させる画質情報から低い画質性能で再生させる画質情報に書き換えを行うように構成されているものの、一般的には、同期信号の周期が一定でない期間が限られた短い期間である場合には、正常表示可能な場合が多いと考えられる。しかしながら、上記特許文献１のコンテンツ再生装置は、同期信号の周期が一定でない期間が限られた短い期間で正常表示可能な場合であっても、正常表示不可能と判定され、高い画質性能で再生させる画質情報から低い画質性能で再生させる画質情報に書き換えが行われるという問題点があると考えられる。
【０００６】
この発明は、上記のような課題を解決するためになされたものであり、この発明の１つの目的は、表示部に正常な表示を行うことが可能な場合に不可能と判定するのを抑制することにより極力画質の低下を抑制することが可能な表示装置および表示システムを提供することである。
【課題を解決するための手段】
【０００７】
上記目的を達成するために、この発明の第１の局面による表示装置は、映像を表示する表示部と、外部送信装置と所定のケーブルを介して接続可能に構成され、表示部が表示可能な最高画質を含む情報である第１画質情報を外部送信装置に送信するとともに、第１画質情報に基づいた映像信号を、外部送信装置から受信する接続部と、受信した映像信号を取得する制御を行う制御部とを備え、制御部は、接続部を介して取得した映像信号の同期信号が不安定であると判定した状態が所定の第１時間継続した場合に、第１画質情報に含まれる最高画質よりも低い画質からなる最も高い画質を含む情報である第２画質情報を、外部送信装置に、接続部を介して送信するとともに、接続部を介して受信した第２画質情報の最も高い画質に基づいた映像信号を取得する制御を行うように構成されている。
【０００８】
この発明の第１の局面による表示装置では、上記のように、制御部を、取得した映像信号の同期信号が不安定であると判定した状態が所定の第１時間継続した場合に、第１画質情報に含まれる最高画質よりも低い画質からなる最も高い画質を含む情報である第２画質情報を、外部送信装置に、接続部を介して送信するとともに、接続部を介して受信した第２画質情報の最も高い画質に基づいた映像信号を取得する制御を行うように構成することによって、同期信号の周期が一定でない期間が限られた短い期間である正常表示可能な場合（同期信号が不安定でない場合）には、不安定であると判定されないので、表示部に正常な表示（高い画質の映像の表示）を行うことが可能な場合に不可能と判定するのを抑制することができる。その結果、同期信号が不安定でない状態で、低い画質の映像が表示部に表示されることを抑制することができるので、画質の低下を極力抑制することができる。
【０００９】
上記第１の局面による表示装置において、好ましくは、同期信号は、クロック信号と、水平同期信号と、垂直同期信号とを含み、制御部は、クロック信号と水平同期信号と垂直同期信号とのうちの少なくとも２つの同期信号が不安定であるか否かを判定して、少なくとも２つの同期信号のうちのいずれかの同期信号が不安定であると判定した状態が所定の第１時間継続した場合に、第１画質情報に含まれる最高画質よりも低い画質からなる最も高い画質を含む情報である第２画質情報を、外部送信装置に、接続部を介して送信する制御を行うように構成されている。このように構成すれば、１つの同期信号のみに基づいて不安定であるか否かを判定する場合に比べて、より正確に、同期信号が不安定であるか否かを判定することができる。
【００１０】
この場合、好ましくは、制御部は、水平同期信号を取得した後、次に水平同期信号を取得するまでの期間に、クロック信号のクロック数が第１の所定の数と異なる数である場合、または、垂直同期信号を取得した後、次に垂直同期信号を取得するまでの期間に、水平同期信号の検出数が第２の所定の数と異なる数である場合に、同期信号が不安定であると判定して、同期信号が不安定であると判定した状態が所定の第１時間継続した場合に、第１画質情報に含まれる最高画質よりも低い画質からなる最も高い画質を含む情報である第２画質情報を、外部送信装置に接続部を介して送信する制御を行うように構成されている。このように構成すれば、クロック信号のクロック数と第１の所定の数との比較、または、水平同期信号の検出数と第２の所定の数との比較を行うことによって、容易に、同期信号が不安定であるか否かを判定することができる。
【００１１】
上記第１の局面による表示装置において、好ましくは、制御部は、第２画質情報に基づいた映像信号を外部送信装置から接続部に送信され、かつ、外部送信装置からの映像以外の映像が表示部に表示されている場合に、第１画質情報を、外部送信装置に送信する制御を行い、接続部を介して同期信号を取得して、取得した同期信号が不安定でないと判定した場合は、第２画質情報に代えて第１画質情報を外部送信装置に送信する制御を行うように構成されている。このように構成すれば、過去に同期信号が不安定であると判定され第２画質情報を外部送信装置に送信した場合でも、同期信号が不安定である状態から不安定でない状態に変化した場合には、第１画質情報を外部送信装置に送信して、外部送信装置から第１画質情報に基づいた映像を取得することができる。たとえば、ユーザにより、所定のケーブルをより短いケーブルまたは品質の高いケーブルに交換された場合には、同期信号が不安定である状態から不安定でない状態に変化する場合がある。このような場合に、上記のように構成することによって、同期信号が不安定でない状態に、低い画質の映像が表示部に表示されることを、効果的に抑制することができる。
【００１２】
この場合、好ましくは、制御部は、接続部を介して取得した同期信号が安定な状態が所定の第２時間継続した場合に、同期信号が不安定でないと判定して、第２画質情報に代えて第１画質情報を外部送信装置に送信する制御を行うように構成されている。このように構成すれば、同期信号の安定な状態が限られた時間に、同期信号が不安定でないと判定するのを抑制することができるので、より正確に、同期信号が不安定でないと判定することができる。
【００１３】
上記同期信号が安定な状態が所定の第２時間継続した場合に同期信号が不安定でないと判定する制御部を備える表示装置において、好ましくは、第２時間は、第１時間よりも短い。ここで、同期信号を検出してから、一旦、一定時間継続して同期信号が安定な状態となった場合は、一定時間継続して同期信号が安定な状態となった時点以降も同期信号が安定な状態が継続する場合が多い。そこで、本発明では、第２時間を、第１時間よりも短く構成することによって、同期信号が不安定でない場合には、より短い時間で判定を行うことができる。
【００１４】
上記第１の局面による表示装置において、好ましくは、制御部は、第２画質情報に基づいた映像信号を外部送信装置から受信している場合で、同期信号が所定の第１時間継続して不安定であると判定した場合は、第２画質情報に含まれる最も高い画質よりもさらに低い画質からなる最も高い画質を含む情報を、外部送信装置に送信する制御を行うように構成されている。このように構成すれば、段階的に表示部に表示させる映像の画質を下げることができるので、表示可能な画質性能のうちの最も高い画質性能の映像を表示部に表示することができる。
【００１５】
この場合、好ましくは、第１画質情報は、横方向の画素数が１９２０で、かつ、縦方向の画素数が１０８０である解像度を超える第１解像度に対応していることを示す第１解像度情報と、ディープカラー機能に対応していることを示すディープカラー情報とを含み、第２画質情報は、第１解像度に対応していないことを示す第１非対応情報と、ディープカラーに対応していないことを示す第２非対応情報と、第１解像度よりも低い複数の第２解像度に対応する第２解像度情報とを含み、制御部は、同期信号が所定の第１時間継続して不安定であると判定した場合は、第１非対応情報を含む第２画質情報を、外部送信装置に送信する制御を行い、第１非対応情報を含む第２画質情報を送信した後に、同期信号が所定の第１時間継続して不安定であると判定した場合は、第２非対応情報を含む第２画質情報を、外部送信装置に送信する制御を行い、第２非対応情報を含む第２画質情報を送信した後に、同期信号が所定の第１時間継続して不安定であると判定した場合は、判定毎に、第２解像度情報に対応する複数の解像度のうちの高い方から低い方に順次下げた最も高い解像度の情報を含む第２画質情報を、外部送信装置に送信する制御を行うように構成されている。ここで、一般的に、第１解像度に対応する状態から対応しない状態への変化、ディープカラー機能に対応している状態から対応しない状態への変化、第２解像度を低い方に下げる変化の順に、表示部に表示される映像の画質の低下が視認されにくい。そこで、本発明では、制御部を、表示部に表示される映像の画質の低下が視認されにくい順で、映像の画質を下げるように制御するので、ユーザにとって、映像の画質の低下を感じさせることを極力抑制することができる。
【００１６】
上記第１の局面による表示装置において、好ましくは、制御部は、表示装置本体の電源をオフの状態からオンの状態に切り替えた場合、表示装置本体の電源がオフされる直前のオンの状態に外部送信装置に送信した第１画質情報または第２画質情報を、外部送信装置に送信する制御を行うように構成されている。このように構成すれば、表示装置本体の電源をオフの状態からオンの状態に切り替える際に、制御部は、改めて同期信号が不安定であるか否かを判定する必要がないので、不要な制御を行う必要がない分、制御部の負担を軽減することができる。
【００１７】
上記第１の局面による表示装置において、好ましくは、所定のケーブルは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ；登録商標）規格に基づいて、映像信号と第１画質情報と第２画質情報とを伝達可能なＨＤＭＩケーブルである。このように構成すれば、ＨＤＭＩ規格では、標準規格化されたＤＤＣ（Ｄｉｓｐｌａｙ  Ｄａｔａ  Ｃｈａｎｅｌ；登録商標）を介して、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を伝達させることができるので、第１画質情報と第２画質情報とをＥＤＩＤとして構成することによって、容易に、外部送信装置に第１画質情報と第２画質情報とを送信することができる。
【００１８】
この発明の第２の局面による表示システムは、表示装置から所定のケーブルを介して、表示装置の表示部が表示可能な最高画質を含む情報である第１画質情報を取得して、取得した第１画質情報に基づいた映像信号を表示装置に送信する送信装置と、映像を表示する表示部と、送信装置と所定のケーブルを介して接続可能に構成され、送信装置に、第１画質情報を送信するとともに、第１画質情報に基づいた映像信号を、送信装置から受信する接続部と、受信した映像信号を取得する制御を行う表示装置側制御部とを含む、表示装置とを備え、表示装置側制御部は、接続部を介して取得した映像信号の同期信号が不安定であると判定した状態が所定の第１時間継続した場合に、第１画質情報に含まれる最高画質よりも低い画質からなる最も高い画質を含む情報である第２画質情報を、送信装置に、接続部を介して送信するとともに、接続部を介して受信した第２画質情報の最も高い画質に基づいた映像信号を取得する制御を行うように構成されている。
【００１９】
この発明の第２の局面による表示システムでは、上記のように、表示装置側制御部を、取得した映像信号の同期信号が不安定であると判定した状態が所定の第１時間継続した場合に、第１画質情報に含まれる最高画質よりも低い画質からなる最も高い画質を含む情報である第２画質情報を、送信装置に、接続部を介して送信するとともに、接続部を介して受信した第２画質情報の最も高い画質に基づいた映像信号を取得する制御を行うように構成することによって、同期信号の周期が一定でない期間が限られた短い期間である正常表示可能な場合に、不安定であると判定されないので、表示部に正常な表示を行うことが可能な場合に不可能と判定するのを抑制することができる。その結果、同期信号が不安定でない状態に、低い画質の映像が表示部に表示されることを抑制することができるので、画質の低下を極力抑制することができる。
【発明の効果】
【００２０】
本発明によれば、上記のように、表示部に正常な表示を行うことが可能な場合に不可能と判定するのを抑制することにより極力画質の低下を抑制することができる。
【図面の簡単な説明】
【００２１】
【図１】本発明の第１実施形態による表示システムの全体構成を示したブロック図である。
【図２】本発明の第１実施形態によるケーブル異常の通知表示画面の図である。
【図３】本発明の第１実施形態による同期信号（ＴＭＤＳクロック信号およびＨ  Ｓｙｎｃ信号）が不安定か否かを判定する方法を説明するための図である。
【図４】本発明の第１実施形態による同期信号（Ｈ  Ｓｙｎｃ信号およびＶ  Ｓｙｎｃ信号）が不安定か否かを判定する方法を説明するための図である。
【図５】本発明の第１実施形態による表示システムの同期信号の異常判定およびＥＤＩＤ送受信制御処理を説明するためのフローチャートである。
【図６】本発明の第１実施形態による表示システムのＥＤＩＤ変更制御処理を説明するためのフローチャートである。
【図７】本発明の第２実施形態による表示システムの同期信号の異常判定およびＥＤＩＤ送受信変更制御処理を説明するためのフローチャートである。
【図８】本発明の第３実施形態による表示システムのＥＤＩＤ変更制御処理を説明するためのフローチャートである。
【発明を実施するための形態】
【００２２】
以下、本発明の実施形態を図面に基づいて説明する。
【００２３】
（第１実施形態）
図１を参照して、本発明の第１実施形態による表示システム１００の構成について説明する。
【００２４】
第１実施形態による表示システム１００は、図１に示すように、テレビジョン装置１と、ハードディスクレコーダ２と、テレビジョン装置１とハードディスクレコーダ２とを接続するＨＤＭＩケーブル３とを備える。なお、テレビジョン装置１は、本発明の「表示装置」の一例である。また、ハードディスクレコーダ２は、本発明の「外部送信装置」および「送信装置」の一例である。また、ＨＤＭＩケーブル３は、本発明の「所定のケーブル」の一例である。
【００２５】
そして、テレビジョン装置１は、ＣＰＵ（Ｃｅｎｔｒａｌ  Ｐｒｏｃｅｓｓｉｎｇ  Ｕｎｉｔ）１１と、表示部１２と、放送受信部１３と、放送信号処理部１４と、ＨＤＭＩ端子１５と、信号検出部１６と、メモリ１７と、ＯＳＤ（Ｏｎ  Ｓｃｒｅｅｎ  Ｄｉｓｐｌａｙ）部１８と、電源部１９と、操作部２０と、内部バス２０ａとを含む。なお、ＣＰＵ１１は、本発明の「制御部」の一例である。また、ＨＤＭＩ端子１５は、本発明の「接続部」の一例である。
【００２６】
また、ハードディスクレコーダ２は、ＣＰＵ２１と、ＨＤＭＩ端子２２と、ハードディスクドライブ２３とを備える。
【００２７】
また、図１に示すように、テレビジョン装置１の放送受信部１３は、受信アンテナ１３ａおよび受信チューナ（図示せず）を有し、受信アンテナ１３ａは、各放送事業者から配信されるテレビジョン放送波を受信するように構成されている。また、受信チューナは、所定の伝送チャンネルを選局して放送事業者毎のテレビジョン放送波を受信するように構成されている。そして、放送信号処理部１４は、復調回路および復号部等を含み、復調回路によって放送受信部１３により受信されたテレビジョン放送波の誤り訂正を行うとともに、ＴＳ（Ｔｒａｎｓｐｏｒｔ  Ｓｔｒｅａｍ）信号に復調するように構成されている。また、ＴＳ信号は、復号部によってＴＳ信号を画像信号に復号化（デコード）されて、液晶パネル等を含む表示部１２に復号化された画像信号を出力し、表示させるように構成されている。
【００２８】
また、図１に示すように、ＯＳＤ部１８は、ＣＰＵ１１の指令に基づいて、後述するケーブル異常の通知表示画面（図２参照）等の画像データを表示部１２に出力するように構成されている。
【００２９】
そして、図１に示すように、メモリ１７は、ＣＰＵ１１の処理動作に伴うデータ、および、表示部１２に表示するための画像等を一時的に格納する揮発性記憶部と、ＥＤＩＤを記憶する不揮発性記憶部とを含む。また、操作部２０は、外部リモコン（図示せず）からユーザの操作に基づいて送信された操作信号を受付可能に構成されている。また、電源部１９は、テレビジョン装置１全体に電力を供給するように構成されている。また、内部バス２０ａは、テレビジョン装置１内部において各構成同士が信号を互いに伝送可能に構成されている。
【００３０】
そして、ＥＤＩＤには、表示部１２が表示可能な最高画質として、横方向の画素数が３８４０で、かつ、縦方向の画素数が２１６０である解像度２１６０ｐに対応する解像度の情報を含む（たとえば、２１６０ｐ、１０８０ｐ、１０８０ｉ、７２０ｐ、４８０ｐからＥＤＩＤが構成される）。また、テレビジョン装置１のＥＤＩＤは、ＣＰＵ１１により、最も高い画質を解像度２１６０ｐから低い解像度１０８０ｐに変更可能に構成されている（この場合、ＥＤＩＤは、１０８０ｐ、１０８０ｉ、７２０ｐ、４８０ｐから構成される）の情報である解像度の情報に変更可能に構成されている。
【００３１】
ここで、第１実施形態では、図１に示すように、ＨＤＭＩ端子１５は、ＨＤＭＩ規格に基づいた端子が備えられている。具体的には、ＨＤＭＩ端子１５は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）クロック用端子と、ＴＭＤＳデータ用端子と、ＤＤＣ用端子（ＳＣＬ（Ｓｅｒｉａｌ  Ｃｌｏｃｋ  Ｌｉｎｅ）およびＳＤＡ（Ｓｅｒｉａｌ  Ｄａｔａ  Ｌｉｎｅ））と、ホットプラグ検出用端子とを含む。そして、ＴＭＤＳクロック用端子は、ハードディスクレコーダ２から送信されたＴＭＤＳクロック信号を、ＨＤＭＩケーブル３を介して、受信するように構成されている。また、ＴＭＤＳデータ用端子は、ハードディスクレコーダ２から送信された映像音声信号と、Ｈ  Ｓｙｎｃ信号と、Ｖ  Ｓｙｎｃ信号とを含む信号を、ＨＤＭＩケーブル３を介して、受信するように構成されている。そして、ＤＤＣ用端子は、ＥＤＩＤまたはＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）認証用信号等を送受信可能に構成されている。なお、ＴＭＤＳクロック信号は、本発明の「同期信号」および「クロック信号」一例である。また、Ｈ  Ｓｙｎｃ信号は、本発明の「同期信号」および「水平同期信号」の一例である。また、Ｖ  Ｓｙｎｃ信号は、本発明の「同期信号」および「垂直同期信号」の一例である。また、ＥＤＩＤは、本発明の「第１画質情報」および「第２画質情報」の一例である。
【００３２】
また、図１に示すように、ハードディスクレコーダ２のＣＰＵ２１は、テレビジョン装置１から送信されたＥＤＩＤを、ＨＤＭＩケーブル３およびＨＤＭＩ端子２２を介して、取得するように構成されている。具体的には、ＨＤＭＩ端子２２のホットプラグ検出用端子の電圧を検出して、検出した電圧がＬｏｗレベルからＨｉｇｈレベルに変化した場合に、ハードディスクレコーダ２のＣＰＵ２１は、テレビジョン装置１からＤＤＣ用端子を介して、ＥＤＩＤを読み出して取得するように構成されている。また、ハードディスクドライブ２３は、映像音声が記録可能に構成されており、ＣＰＵ２１の指令に基づいて、記憶された映像音声を読み出し可能に構成されている。そして、ハードディスクレコーダ２のＣＰＵ２１は、取得したＥＤＩＤに基づいた画質性能の映像信号（たとえば、解像度１０８０ｐに対応する解像度の情報が含まれている場合には、解像度１０８０ｐで表示可能な映像信号）として、ハードディスクドライブ２３から読み出す制御を行うように構成されている。そして、ＣＰＵ２１は、取得したＥＤＩＤに基づいた映像信号と、ＴＭＤＳクロック信号と、Ｈ  Ｓｙｎｃ信号と、Ｖ  Ｓｙｎｃ信号とを含む信号を、ＨＤＭＩ端子２２を介して、テレビジョン装置１に送信するように構成されている。
【００３３】
そして、図１に示すように、テレビジョン装置１のＣＰＵ１１は、ＨＤＭＩ端子１５を介して、ハードディスクレコーダ２から送信された映像信号を受信して、表示部１２に映像信号に対応した映像を表示する制御を行うように構成されている。
【００３４】
また、図１に示すように、テレビジョン装置１の信号検出部１６は、ハードディスクレコーダ２から送信された同期信号（ＴＭＤＳクロック信号、Ｈ  Ｓｙｎｃ信号、Ｖ  Ｓｙｎｃ信号）を検出可能に構成されている。そして、ＣＰＵ１１は、信号検出部１６により検出されたＴＭＤＳクロック信号と、Ｈ  Ｓｙｎｃ信号と、Ｖ  Ｓｙｎｃ信号とについて、後述する判定方法により不安定か否かを判定することによって、ハードディスクレコーダ２から送信された映像信号が異常か否かを判定するように構成されている。
【００３５】
ここで、第１実施形態では、テレビジョン装置１のＣＰＵ１１は、ＨＤＭＩ端子１５を介して取得した映像信号の同期信号が不安定であるか否かを、以下に示す第１〜第７判定方法によって判定するように構成されている。また、ＣＰＵ１１は、第１〜第７判定方法のうちの全ての判定方法で不安定と判定されない状態が３秒継続した場合、同期信号は安定であると判定するように構成されている。そして、信号検出部１６が同期信号を検出し始めてから２０秒継続して同期信号が安定と判定されない場合（第１〜第７判定方法のうちのいずれかの判定方法により同期信号が２０秒継続して不安定であると判定している場合）に、取得した映像信号の同期信号は異常であると判定するように構成されている。なお、上記２０秒は、本発明の「第１時間」の一例である。また、上記３秒は、本発明の「第２時間」の一例である。
【００３６】
そして、第１実施形態では、テレビジョン装置１のＣＰＵ１１は、取得した映像信号の同期信号が異常であると判定した場合には、同期信号が異常であると判定する前に送信したＥＤＩＤが含む最も高い画質よりも低い画質を最も高い画質として含むＥＤＩＤを、ハードディスクレコーダ２にＨＤＭＩ端子１５を介して送信するとともに、低い画質を最も高い画質として含むＥＤＩＤに基づいた映像信号を、ハードディスクレコーダ２から取得する制御を行うように構成されている。なお、より低い画質の映像信号は、高い画質の映像信号よりも同期信号の周期が長くなるので、同期信号が不安定になりにくい性質がある。
【００３７】
たとえば、テレビジョン装置１のＣＰＵ１１が取得した映像信号の同期信号が異常であると判定する前のＥＤＩＤに含まれる最も高い画質が解像度２１６０ｐである場合には、ＣＰＵ１１は、取得した映像信号の同期信号が異常であると判定した後に、最も高い画質が解像度２１６０ｐである情報に代えて最も高い画質が解像度１０８０ｐである情報に変更する制御を行うように構成されている。そして、ＣＰＵ１１は、ＥＤＩＤを変更した後に、ホットプラグ検出用端子に印加する電圧レベルをＨｉｇｈからＬｏｗに変化させ、その後、ＬｏｗからＨｉｇｈに変化する制御を行うように構成されている。
【００３８】
そして、ハードディスクレコーダ２のＣＰＵ２１は、ホットプラグ検出用端子の電圧レベルを検出して、ＬｏｗからＨｉｇｈに変化した際に、変更されたＥＤＩＤを取得する制御を行うように構成されている。そして、ＣＰＵ２１は、変更されたＥＤＩＤに対応する映像信号（１０８０ｐに対応する解像度として表示可能な映像信号として映像信号）をハードディスクレコーダ２から読み出すように構成されている。そして、ハードディスクレコーダ２のＣＰＵ２１は、ＨＤＭＩ端子２２を介して、テレビジョン装置１に変更されたＥＤＩＤに対応した映像信号を送信するように構成されている。
【００３９】
そして、テレビジョン装置１のＣＰＵ１１は、ＨＤＭＩ端子１５を介して、ハードディスクレコーダ２から送信されテレビジョン装置１により変更されたＥＤＩＤに対応した映像信号を取得するように構成されている。そして、ＣＰＵ１１は、取得した映像信号を表示部１２に表示するように構成されている。
【００４０】
また、第１実施形態では、テレビジョン装置１のＣＰＵ１１は、変更されたＥＤＩＤ（最も高い画質が解像度１０８０ｐ）に基づいた映像信号をハードディスクレコーダ２から受信している場合で、後述する同期信号の判定方法に基づいて、同期信号が異常であると判定した場合には、変更されたＥＤＩＤ（最も高い画質が解像度１０８０ｐ）よりもさらに低い画質（たとえば、解像度１０８０ｉ）が最も高い画質であるＥＤＩＤを、ハードディスクレコーダ２に送信する制御を行うように構成されている。すなわち、ＣＰＵ１１は、上記したＥＤＩＤに含まれる情報をさらに変更する処理を行うとともに、さらに変更されたＥＤＩＤ（最も高い画質が解像度１０８０ｉ）をハードディスクレコーダ２に送信する制御を行うように構成されている。そして、ハードディスクレコーダ２のＣＰＵ２１は、取得したさらに変更されたＥＤＩＤ（最も高い画質が解像度１０８０ｉ）に基づいた映像信号を、テレビジョン装置１に送信するように構成されている。
【００４１】
そして、テレビジョン装置１のＣＰＵ１１は、同期信号が異常であるか否かの判定を行うとともに、同期信号が異常でないと判定されるまで、上記のＥＤＩＤの変更の処理を繰り返す制御を行うように構成されている。そして、ＣＰＵ１１は、テレビジョン装置１の表示部１２が表示可能な画質のうちの最低の画質（たとえば、解像度４８０ｐ）が最も高い画質であるＥＤＩＤに基づいた映像信号を表示部１２に表示している場合に、同期信号が異常であると判定した場合には、ケーブル異常の通知表示（図２参照）を表示部１２に表示するように構成されている。
【００４２】
具体的には、図２に示すように、テレビジョン装置１のＣＰＵ１１は、表示可能な画質のうちの最低の画質が最も高い画質であるＥＤＩＤに基づいた映像信号を表示部１２に表示している場合には、ＥＤＩＤを変更する制御を行わないで、ユーザにケーブル異常の通知を行う制御を行うように構成されている。たとえば、ＣＰＵ１１は、ＯＳＤ部１８を介して、表示部１２に、「ケーブルに異常がある可能性があります。」、「ケーブルを交換してください。」、または、「短いケーブルに交換すると、異常が改善されることがあります。」等の表示を行うように構成されている。
【００４３】
また、第１実施形態では、テレビジョン装置１のＣＰＵ１１は、テレビジョン装置１本体の電源をオフの状態（電源部１９からテレビジョン装置１全体に電力を供給している状態）からオンの状態に切り替えた場合、テレビジョン装置１本体の電源がオフされる直前のオンの状態の際にテレビジョン装置１に送信したＥＤＩＤを、ハードディスクレコーダ２に送信する制御を行うように構成されている。たとえば、テレビジョン装置１本体の電源がオンの状態で、かつ、テレビジョン装置１が解像度７２０ｐを最も高い画質とするＥＤＩＤに基づいた映像信号を表示部１２に表示する状態において、操作部２０がユーザの操作に基づいてテレビジョン装置１本体の電源をオフの状態にする情報を受け付けた場合には、ＣＰＵ１１は、テレビジョン装置１本体の電源をオフの状態にする制御を行うように構成されている。その後に、操作部２０がユーザの操作に基づいてテレビジョン装置１本体の電源をオンの状態にする情報を受け付けた場合には、ＣＰＵ１１は、直前のオンの状態にテレビジョン装置１に送信した解像度７２０ｐが最も高い画質であるＥＤＩＤを、ハードディスクレコーダ２に送信する制御を行うように構成されている。
【００４４】
次に、図３および図４を参照して、本発明のテレビジョン装置１における同期信号が不安定か否かを判定する方法について説明する。同期信号が不安定か否かを判定する処理は、テレビジョン装置１のＣＰＵ１１によって行われる。
【００４５】
図３および図４に示すように、第１実施形態では、同期信号が不安定であると判定する方法として、ＴＭＤＳクロック信号のクロック周期のズレの検出による判定（第１判定方法）と、Ｈ  Ｓｙｎｃ信号の周期のズレの検出による判定（第２判定方法）と、Ｖ  Ｓｙｎｃ信号の周期のズレの検出による判定（第３判定方法）と、Ｈ  Ｓｙｎｃ信号と次にＨ  Ｓｙｎｃ信号を取得するまでの期間に検出されたＴＭＤＳクロック信号のクロック数が所定の値であるか否かを判断することによる判定（第４判定方法）と、Ｖ  Ｓｙｎｃ信号と次にＶ  Ｓｙｎｃ信号を取得するまでの期間に検出されたＨ  Ｓｙｎｃ信号の検出数が所定の値であるか否かを判断することによる判定（第５判定方法）と、Ｈ  Ｓｙｎｃ信号の検出中（電圧レベルがＨｉｇｈの状態）におけるＴＭＤＳクロック信号のクロック数が所定の値であるか否かを判断することによる判定（第６判定方法）と、Ｖ  Ｓｙｎｃ信号の検出中（電圧レベルがＨｉｇｈの状態）におけるＨ  Ｓｙｎｃ信号の検出数が所定の値であるか否かを判断することによる判定（第７判定方法）とを含む。
【００４６】
具体的には、第１判定方法では、所定のＴＭＤＳクロック信号のクロック周期よりも、信号検出部１６により検出されたＴＭＤＳクロック信号のクロック周期が０．５％以上異なる場合、同期信号が不安定であると判定する。たとえば、ビデオフォーマット１０８０ｐ（ＮＴＳＣ（Ｎａｔｉｏｎａｌ  Ｔｅｌｅｖｉｓｉｏｎ  Ｓｙｓｔｅｍ Ｃｏｍｍｉｔｔｅｅ）の一般的なＶ  Ｓｙｎｃの周期）の場合は、ＴＭＤＳクロック信号のクロック周期（上記所定の値）は、１４８．３５２ＭＨｚである。すなわち、信号検出部１６により検出されたＴＭＤＳクロック信号のクロック周期が１４９．０９２ＭＨｚよりも大きい値、または、１４７．６１０ＭＨｚ未満の場合に、同期信号が不安定であると判定する。
【００４７】
また、第２判定方法では、所定のＨ  Ｓｙｎｃ信号の周期よりも、信号検出部１６により検出されたＨ  Ｓｙｎｃ信号の周期が０．５％以上異なる場合、同期信号が不安定であると判定する。たとえば、ビデオフォーマット１０８０ｐの場合は、Ｈ  Ｓｙｎｃ信号の周期（上記所定のＨ  Ｓｙｎｃ信号の周期）は、６７．４３３ｋＨｚである。すなわち、信号検出部１６により検出されたＨ  Ｓｙｎｃ信号の周期が６７．７７０ｋＨｚよりも大きい値、または、６７．０９５ｋＨｚ未満の場合に、同期信号が不安定であると判定する。
【００４８】
また、第３判定方法では、所定のＶ  Ｓｙｎｃ信号の周期よりも、信号検出部１６により検出されたＶ  Ｓｙｎｃ信号の周期が０．５％以上異なる場合、同期信号が不安定であると判定する。たとえば、ビデオフォーマット１０８０ｐの場合は、Ｈ  Ｓｙｎｃ信号の周期（上記所定のＶ  Ｓｙｎｃ信号の周期）は、５９．９４Ｈｚである。すなわち、信号検出部１６により検出されたＶ  Ｓｙｎｃ信号の周期が６０．２４Ｈｚよりも大きい値、または、５９．６４ｋＨｚ未満の場合に、同期信号が不安定であると判定する。
【００４９】
また、第４判定方法では、Ｈ  Ｓｙｎｃ信号と次にＨ  Ｓｙｎｃ信号を検出するまでの期間に検出されたＴＭＤＳクロック信号のクロック数が定められた数でない場合に、同期信号が不安定であると判定する。たとえば、ビデオフォーマット１０８０ｐの場合では、Ｈ  Ｓｙｎｃ信号と次にＨ  Ｓｙｎｃ信号を取得するまでの期間におけるＴＭＤＳクロック信号のクロック数（上記定められた数）は、２２００クロックである。すなわち、信号検出部１６によりＨ  Ｓｙｎｃ信号を検出してから、次にＨ  Ｓｙｎｃ信号を検出するまでの期間に、ＴＭＤＳクロック信号が２２００クロック以外の数検出された場合に、同期信号が不安定であると判定する。
【００５０】
また、第５判定方法では、Ｖ  Ｓｙｎｃ信号と次にＶ  Ｓｙｎｃ信号を検出するまでの期間に検出されたＨ  Ｓｙｎｃ信号の検出数が定められた数でない場合に、同期信号が不安定であると判定する。たとえば、ビデオフォーマット１０８０ｐの場合では、Ｖ  Ｓｙｎｃ信号と次にＶ  Ｓｙｎｃ信号を取得するまでの期間におけるＨ  Ｓｙｎｃ信号の数（定められた数）は、１１２５回である。すなわち、信号検出部１６によりＶ  Ｓｙｎｃ信号を検出してから、次にＶ  Ｓｙｎｃ信号を検出するまでの期間に、Ｈ  Ｓｙｎｃ信号が１１２５回以外の数検出された場合に、同期信号が不安定であると判定する。
【００５１】
また、第６判定方法では、Ｈ  Ｓｙｎｃ信号の検出中（電圧レベルがＨｉｇｈの状態）におけるＴＭＤＳクロック信号のクロック数が定められた数でない場合に、同期信号が不安定であると判定する。たとえば、ビデオフォーマット１０８０ｐの場合では、Ｈ  Ｓｙｎｃ信号の検出中におけるＴＭＤＳクロック信号のクロック数（定められた数）は、４４クロックである。すなわち、信号検出部１６により、Ｈ  Ｓｙｎｃ信号の検出中におけるＴＭＤＳクロック信号のクロック数が４４クロック以外の数検出された場合に、同期信号が不安定であると判定する。
【００５２】
また、第７判定方法では、Ｖ  Ｓｙｎｃ信号の検出中（電圧レベルがＨｉｇｈの状態）におけるＨ  Ｓｙｎｃ信号の数が定められた数でない場合に、同期信号が不安定であると判定する。たとえば、ビデオフォーマット１０８０ｐの場合では、Ｖ  Ｓｙｎｃ信号の検出中におけるＨ  Ｓｙｎｃ信号の数（定められた数）は、５回である。すなわち、信号検出部１６により、Ｖ  Ｓｙｎｃ信号の検出中におけるＨ  Ｓｙｎｃ信号の数が５回以外の数検出された場合に、同期信号が不安定であると判定する。
【００５３】
次に、図５を参照して、第１実施形態による表示システム１００の同期信号の異常判定およびＥＤＩＤ送受信制御処理フローについて説明する。テレビジョン装置１における処理は、ＣＰＵ１１により行われる。また、ハードディスクレコーダ２における処理は、ＣＰＵ２１により行われる。
【００５４】
まず、図５に示すように、ステップＳ１において、ホットプラグ検出用端子の電圧レベルがＬｏｗからＨｉｇｈに変更される。その後、ステップＳ２に進む。そして、ステップＳ２において、後述するステップＳ１２においてハードディスクレコーダ２からテレビジョン装置１に送信されたＥＤＩＤ要求信号をテレビジョン装置１が受信して、テレビジョン装置１からハードディスクレコーダ２にＥＤＩＤの送信が行われる。その後、ステップＳ３に進む。
【００５５】
そして、ステップＳ３において、信号検出部１６により検出された映像信号の同期信号の取得が行われる。すなわち、後述するステップＳ１４においてハードディスクレコーダ２から送信されたＥＤＩＤに基づいた映像信号の同期信号の取得が行われる。その後、ステップＳ４に進む。そして、ステップＳ４において、映像信号の同期信号は異常か否かが判定される。すなわち、上記した判定方法に同期信号が異常である場合には、ステップＳ５に進み、同期信号が異常でない場合には、ステップＳ７に進む。
【００５６】
そして、ステップＳ５において、後述するＥＤＩＤ変更処理（図６参照）が実行される。その後、ステップＳ６に進む。そして、ステップＳ６において、ホットプラグ検出用端子に印加する電圧レベルがＨｉｇｈからＬｏｗに変更される。その後、ステップＳ１に戻る。すなわち、ホットプラグ検出用端子に印加する電圧レベルがＨｉｇｈからＬｏｗに変更された後に、ステップＳ１において再びホットプラグ検出用端子に印加する電圧レベルがＬｏｗからＨｉｇｈに変更されることによって、ハードディスクレコーダ２によるＥＤＩＤの読み出しが再び行われる。その結果、テレビジョン装置１は、ステップＳ５において変更されたＥＤＩＤに基づいた映像信号を取得可能となる。
【００５７】
また、ステップＳ３において同期信号が異常でない場合に進むステップＳ７において、ＥＤＩＤが記憶される。すなわち、同期信号が異常でない状態となるＥＤＩＤが記憶される。たとえば、解像度１０８０ｐが最も高い画質であるＥＤＩＤに対応した同期信号が異常と判定された後に、解像度１０８０ｉが最も高い画質であるＥＤＩＤに対応した同期信号が異常でないと判定された場合には、解像度１０８０ｉが最も高い画質であるＥＤＩＤがメモリ１７に記憶される。その後、テレビジョン装置１による同期信号の異常判定およびＥＤＩＤ送受信制御処理は終了される。
【００５８】
一方、ハードディスクレコーダ２では、ステップＳ１１において、ホットプラグ検出用端子の電圧レベルがＬｏｗからＨｉｇｈに変更されたか否かが判断される。電圧レベルがＬｏｗからＨｉｇｈに変更されるまでこのステップは繰り返され、電圧レベルがＬｏｗからＨｉｇｈに変更された場合に、ステップＳ１２に進む。そして、ステップＳ１２において、ＥＤＩＤ要求信号の送信が行われる。
【００５９】
そして、ステップＳ１３において、ＥＤＩＤの取得が行われる。すなわち、上記したステップＳ２においてテレビジョン装置１から送信されたＥＤＩＤを、ＨＤＭＩ端子２２を介して取得する。その後、ステップＳ１４に進む。そして、ステップＳ１４において、ステップＳ１３において取得したＥＤＩＤに基づいてハードディスクドライブ２３から読み出した映像信号を、ＨＤＭＩ端子２２を介して、テレビジョン装置１に送信する。その後、ステップＳ１１に戻る。
【００６０】
次に、図６を参照して、第１実施形態によるテレビジョン装置１のＥＤＩＤ変更制御処理フローについて説明する。テレビジョン装置１における処理は、ＣＰＵ１１により行われる。
【００６１】
まず、図６に示すように、ステップＳ２１において、ＥＤＩＤの対応解像度のうち、最も高い解像度が表示部１２に表示可能な解像度のうちの最低の解像度か否かが判断される。たとえば、変更可能な解像度を、２１６０ｐ、１０８０ｐ、１０８０ｉ、７２０ｐ、４８０ｐの解像度として構成している場合には、ＥＤＩＤの対応解像度のうち、最も高い解像度が最低の４８０ｐと一致するＥＤＩＤであるか否かが判断される。ＥＤＩＤの最も高い解像度が最低の解像度と一致しない場合には、ステップＳ２２に進み、ＥＤＩＤの最も高い解像度が最低の解像度と一致する場合には、ステップＳ２３に進む。そして、ステップＳ２２において、ＥＤＩＤに含まれる最も高い解像度の情報を１段階低い解像度の情報にＥＤＩＤを変更する。すなわち、解像度２１６０ｐの場合には、解像度１０８０ｐに変更され、解像度１０８０ｐの場合には、解像度１０８０ｉに変更される。その後、テレビジョン装置１によるＥＤＩＤ変更制御処理フローは終了される。
【００６２】
また、ステップＳ２１において最低の解像度の場合に進むステップＳ２３において、ケーブル異常の通知表示（図２参照）が行われる。その後、テレビジョン装置１によるＥＤＩＤ変更制御処理フローは終了される。
【００６３】
第１実施形態では、以下のような効果を得ることができる。
【００６４】
第１実施形態では、上記のように、テレビジョン装置１のＣＰＵ１１を、取得した映像信号の同期信号が不安定であると判定した状態が２０秒継続した場合に、ＥＤＩＤに含まれる最高画質（たとえば、解像度２１６０ｐ）よりも低い画質（たとえば、解像度１０８０ｐ）からなる最も高い画質を含む情報であるＥＤＩＤをハードディスクレコーダ２に送信するとともに、ハードディスクレコーダ２からＥＤＩＤの最も高い画質（この場合、解像度１０８０ｐ）に基づいた映像信号を取得する制御を行うように構成することによって、同期信号の周期が一定でない期間が限られた短い期間である正常表示可能な場合（同期信号が不安定でない場合）には、不安定であると判定されないので、表示部１２に正常な表示（高い画質の映像の表示）を行うことが可能な場合に不可能と判定するのを抑制することができる。その結果、同期信号が不安定でない状態で、低い画質の映像が表示部１２に表示されることを抑制することができるので、画質の低下を極力抑制することができる。
【００６５】
また、第１実施形態では、上記のように、同期信号は、クロック信号と、水平同期信号と、垂直同期信号とを含み、テレビジョン装置１のＣＰＵ１１を、ＴＭＤＳクロック信号とＨ  Ｓｙｎｃ信号とＶ  Ｓｙｎｃ信号とのうちの少なくとも２つの同期信号が不安定であるか否かを判定して、少なくとも２つの同期信号のうちのいずれかの同期信号が不安定であると判定した状態が２０秒継続した場合に、ＥＤＩＤに含まれる最高画質（たとえば、解像度２１６０ｐ）よりも低い画質（たとえば、解像度１０８０ｐ）からなる最も高い画質を含む情報であるＥＤＩＤを、ハードディスクレコーダ２にＨＤＭＩ端子１５を介して送信する制御を行うように構成する。これにより、１つの同期信号のみ（たとえば、ＴＭＤＳクロック信号のみ）に基づいて不安定であるか否かを判定する場合に比べて、より正確に、同期信号が不安定であるか否かを判定することができる。
【００６６】
また、第１実施形態では、上記のように、テレビジョン装置１のＣＰＵ１１を、Ｈ  Ｓｙｎｃ信号を取得した後、次にＨ  Ｓｙｎｃ信号を取得するまでの期間に、ＴＭＤＳクロック信号のクロック数が第１の所定の数（たとえば、２２００クロック）と異なる数である場合、または、Ｖ  Ｓｙｎｃ信号を取得した後、次にＶ  Ｓｙｎｃ信号を取得するまでの期間に、Ｈ  Ｓｙｎｃ信号の検出数が第２の所定の数（たとえば、１１２５回）と異なる数である場合に、同期信号が不安定であると判定して、同期信号が不安定であると判定した状態が２０秒継続した場合に、ＥＤＩＤに含まれる最高画質（たとえば、解像度１０８０ｐ）よりも低い画質（たとえば、解像度７２０ｐなど）からなる最も高い画質を含む情報であるＥＤＩＤを、ハードディスクレコーダ２にＨＤＭＩ端子１５を介して送信する制御を行うように構成する。これにより、ＴＭＤＳクロック信号のクロック数と第１の所定の数（たとえば、２２００クロック）との比較、または、Ｈ  Ｓｙｎｃ信号の検出数と第２の所定の数（たとえば、１１２５回）との比較を行うことによって、容易に、同期信号が不安定であるか否かを判定することができる。
【００６７】
また、第１実施形態では、上記のように、テレビジョン装置１のＣＰＵ１１を、変更されたＥＤＩＤ（たとえば、最高画質である解像度２１６０ｐを最も高い画質とする情報から、解像度１０８０ｐを最も高い画質とする情報に変更された状態）に基づいた映像信号をハードディスクレコーダ２から受信している場合で、同期信号が所定の第１時間（たとえば、２０秒）継続して不安定であると判定した場合は、ＥＤＩＤに含まれる最も高い画質（この場合、解像度１０８０ｐ）よりもさらに低い画質（たとえば、解像度７２０ｐ）からなる最も高い画質を含むＥＤＩＤを、ハードディスクレコーダ２に送信する制御を行うように構成する。これにより、段階的に表示部１２に表示させる映像の画質を下げることができるので、表示可能な画質性能のうちの最も高い画質性能の映像を表示部１２に表示することができる。
【００６８】
また、第１実施形態では、上記のように、テレビジョン装置１のＣＰＵ１１を、テレビジョン装置１本体の電源をオフの状態からオンの状態に切り替えた場合、テレビジョン装置１本体の電源がオフされる直前のオンの状態にハードディスクレコーダ２に送信したＥＤＩＤを、ハードディスクレコーダ２に送信する制御を行うように構成する。これにより、テレビジョン装置１本体の電源をオフの状態からオンの状態に切り替える際に、ＣＰＵ１１は、改めて同期信号が不安定であるか否かを判定する必要がないので、不要な制御を行う必要がない分、ＣＰＵ１１の負担を軽減することができる。
【００６９】
また、第１実施形態では、上記のように、表示システム１００は、ＨＤＭＩ規格に基づいて、映像信号とＥＤＩＤとを伝達可能なＨＤＭＩケーブル３を備える。これにより、ＨＤＭＩ規格では、標準規格化されたＤＤＣ用端子を介して、ＥＤＩＤを伝達させることができるので、容易に、ハードディスクレコーダ２にＥＤＩＤを送信することができる。
【００７０】
（第２実施形態）
次に、図１を参照して、第２実施形態による表示システム１０１の構成ついて説明する。第２実施形態では、表示部が表示可能な最高画質よりも低い画質を最も高い画質の情報として含むＥＤＩＤに基づいた映像信号をハードディスクレコーダからＨＤＭＩ端子に送信され、かつ、ハードディスクレコーダからの映像以外の映像が表示部に表示されている場合に、表示部が表示可能な最高画質の情報を含むＥＤＩＤを、ハードディスクレコーダに送信する制御をさらに行うように構成されている。
【００７１】
図１に示すように、第２実施形態による表示システム１０１は、テレビジョン装置１ａと、ハードディスクレコーダ２と、テレビジョン装置１ａとハードディスクレコーダ２とを接続可能に構成されたＨＤＭＩケーブル３とを備える。そして、テレビジョン装置１ａは、ＣＰＵ１１ａを含む。
【００７２】
ここで、第２実施形態では、テレビジョン装置１ａのＣＰＵ１１ａは、表示部１２が表示可能な最高画質（たとえば、解像度２１６０ｐ）よりも低い画質（たとえば、解像度１０８０ｐ）を最も高い画質の情報として含むＥＤＩＤに基づいた映像信号をハードディスクレコーダ２からＨＤＭＩ端子１５に送信され、かつ、ハードディスクレコーダ２からの映像以外の映像（たとえば、放送受信部１３から受信した番組など）が表示部１２に表示されている場合に、表示部１２が表示可能な最高画質（たとえば、解像度２１６０ｐ）の情報を含むＥＤＩＤを、ハードディスクレコーダ２に送信する制御を行うように構成されている。
【００７３】
そして、テレビジョン装置１ａのＣＰＵ１１ａは、ＨＤＭＩ端子１５を介して同期信号を取得して、取得した同期信号が異常でないと判定した場合（すなわち、安定な状態が所定の３秒継続した場合）は、低い画質（たとえば、解像度１０８０ｐ）を最も高い画質の情報として含むＥＤＩＤに代えて、表示部１２が表示可能な最高画質（たとえば、解像度２１６０ｐ）の情報を含むＥＤＩＤを、ハードディスクレコーダ２に送信する制御を行うように構成されている。なお、同期信号が不安定（安定）であるか否かについての判定方法は、第１実施形態によるテレビジョン装置１の判定方法と同様の方法により判定されるように構成されており、ＣＰＵ１１ａは、取得した同期信号が不安定である状態が２０秒継続した場合には、同期信号が異常であると判定するように構成されている。また、第２実施形態による表示システム１０１のその他の構成は、第１実施形態における表示システム１００と同様である。
【００７４】
次に、図７を参照して、第２実施形態による表示システム１０１の同期信号の異常判定およびＥＤＩＤ送受信制御処理フローについて説明する。なお、テレビジョン装置１ａにおける処理は、ＣＰＵ１１ａにより行われる。また、ハードディスクレコーダ２における処理は、ＣＰＵ２１により行われる。
【００７５】
まず、図７に示すように、テレビジョン装置１ａでは、ステップＳ３１において、ＥＤＩＤが、表示部１２の表示可能な最高画質（たとえば、解像度２１６０ｐ）の情報を含む情報であるか否かが判断される。ＥＤＩＤが表示可能な最高画質の情報を含む場合にはこの判断が繰り返され、ＥＤＩＤが表示可能な最高画質の情報を含まない場合には、ステップＳ３２に進む。
【００７６】
そして、ステップＳ３２において、表示部１２にハードディスクレコーダ２から送信された映像以外の映像が表示されているか（たとえば、放送受信部１３により受信した番組等）否かが判断される。表示部１２にハードディスクレコーダ２から送信された映像以外の映像が表示されている場合には、ステップＳ３３に進み、表示部１２にハードディスクレコーダ２から送信された映像が表示されている場合には、ステップＳ３１に戻る。
【００７７】
そして、ステップＳ３３において、ＥＤＩＤが表示部１２の表示可能な最高画質（たとえば、解像度２１６０ｐ）を含む情報に変更される。その後、ステップＳ３４に進む。そして、ステップＳ３４において、ホットプラグ検出用端子の電圧レベルがＬｏｗからＨｉｇｈに変更される。その後、ステップＳ３５に進む。
【００７８】
そして、ステップＳ３５において、ＥＤＩＤの送信が行われる。すなわち、ステップＳ３４において、ホットプラグ検出用端子の電圧レベルがＬｏｗからＨｉｇｈに変更されたことをハードディスクレコーダ２が検出した後、ハードディスクレコーダ２からＥＤＩＤ要求信号がテレビジョン装置１ａに送信される（ステップＳ１２）。その後、ハードディスクレコーダ２からテレビジョン装置１ａにＥＤＩＤ要求信号が送信され、テレビジョン装置１ａは、ＥＤＩＤ要求信号を受信する。そして、表示部１２の表示可能な最高画質の情報を含むＥＤＩＤがテレビジョン装置１ａからハードディスクレコーダ２に送信される。その後、ステップＳ３６に進む。そして、ステップＳ３６において、映像信号の同期信号の取得が行われる。その後、ステップＳ３７に進む。
【００７９】
そして、ステップＳ３７において、映像信号の同期信号は異常か否かが判定される。映像信号の同期信号が異常の場合、ステップＳ３８に進み、映像信号の同期信号が異常でない場合、ステップＳ３９に進む。そして、ステップＳ３８において、ＥＤＩＤが、表示部１２の表示可能な最高画質の情報を含むＥＤＩＤから、表示部１２の表示可能な最高画質の情報を含むＥＤＩＤに、変更される直前のＥＤＩＤに変更される（戻される）。
【００８０】
そして、ステップＳ３９において、ＥＤＩＤがメモリ１７に記憶される。すなわち、ステップＳ３７において、表示部１２の表示可能な最高画質の情報を含むＥＤＩＤに基づいた映像信号であっても、同期信号が異常でない場合には、表示部１２の表示可能な最高画質の情報を含むＥＤＩＤを記憶して、ハードディスクレコーダ２からＥＤＩＤの要求信号を受信した場合には、表示部１２の表示可能な最高画質の情報を含むＥＤＩＤを送信する。一方、ステップＳ３７において、表示部１２の表示可能な最高画質の情報を含むＥＤＩＤに基づいた映像信号の同期信号が異常の場合には、表示部１２の表示可能な最高画質の情報を含むＥＤＩＤに変更される直前のＥＤＩＤに戻されたＥＤＩＤを記憶する。そして、ハードディスクレコーダ２からＥＤＩＤの要求信号を受信した場合には、戻されたＥＤＩＤを送信する。その後、テレビジョン装置１ａにおける同期信号の異常判定およびＥＤＩＤ送受信制御処理フローは終了される。
【００８１】
なお、図７に示すように、ハードディスクレコーダ２におけるステップＳ１１〜ステップＳ１４は、第１実施形態による表示システム１００の同期信号の判定およびＥＤＩＤ変更制御処理におけるステップＳ１１〜ステップＳ１４（図５参照）と同様の処理が行われる。
【００８２】
第２実施形態では、以下のような効果を得ることができる。
【００８３】
第２実施形態では、上記のように、テレビジョン装置１ａのＣＰＵ１１ａを、変更されたＥＤＩＤ（たとえば、最高画質である解像度２１６０ｐを最も高い画質とする情報から、解像度１０８０ｐを最も高い画質とする情報に変更された状態）に基づいた映像信号をハードディスクレコーダ２からＨＤＭＩ端子１５に送信され、かつ、ハードディスクレコーダ２からの映像以外の映像（たとえば、放送受信部１３から受信した番組など）が表示部１２に表示されている場合に、表示部１２が表示可能な最高画質（この場合、解像度２１６０ｐ）の情報を含むＥＤＩＤを、ハードディスクレコーダ２に送信する制御を行うように構成する。
【００８４】
上記のように構成することにより、過去に同期信号が不安定であると判定され変更されたＥＤＩＤをハードディスクレコーダ２に送信した場合でも、同期信号が不安定である状態から不安定でない状態に変化した場合には、表示部１２が表示可能な最高画質の情報を含むＥＤＩＤをハードディスクレコーダ２に送信して、ハードディスクレコーダ２から表示部１２が表示可能な最高画質の情報を含むＥＤＩＤに基づいた映像を取得することができる。たとえば、ユーザにより、ＨＤＭＩケーブル３をより短いＨＤＭＩケーブル３または品質の高いＨＤＭＩケーブル３に交換された場合には、同期信号が不安定である状態から不安定でない状態に変化する場合がある。このような場合に、上記のように構成することによって、同期信号が不安定でない状態に、低い画質の映像が表示部１２に表示されることを、効果的に抑制することができる。
【００８５】
また、第２実施形態では、上記のように、ＣＰＵ１１ａを、ＨＤＭＩ端子１５を介して取得した同期信号が安定な状態が所定の第２時間（たとえば、３秒）継続した場合に、同期信号が不安定でないと判定して、変更されたＥＤＩＤ（たとえば、最高画質である解像度２１６０ｐを最も高い画質とする情報から、解像度１０８０ｐを最も高い画質とする情報に変更された状態）に代えて、表示部１２が表示可能な最高画質（この場合、解像度２１６０ｐ）の情報を含むＥＤＩＤをハードディスクレコーダ２に送信する制御を行うように構成する。これにより、同期信号の安定な状態が限られた時間に、同期信号が不安定でないと判定するのを抑制することができるので、より正確に、同期信号が不安定でないと判定することができる。
【００８６】
また、第２実施形態では、上記のように、第２時間（３秒）を、第１時間（２０秒）よりも短く構成する。ここで、同期信号を検出してから、一旦、一定時間継続して同期信号が安定な状態となった場合、一定時間継続して同期信号が安定な状態となった時点以降も同期信号が安定な状態が継続する場合が多い。そこで、本発明では、第２時間（３秒）を、第１時間（２０秒）よりも短く構成することによって、同期信号が不安定でない場合には、より短い時間で判定を行うことができる。また、第２実施形態による表示システム１０１のその他の効果は、第１実施形態における表示システム１００と同様である。
【００８７】
（第３実施形態）
次に、図１を参照して、第３実施形態による表示システム１０２の構成ついて説明する。第３実施形態では、ＥＤＩＤのうちの変更可能な画質の情報として、解像度の情報のみを変更するように構成されていた第１実施形態による表示システム１００と異なり、ＥＤＩＤは、横方向の画素数が１９２０で、かつ、縦方向の画素数が１０８０である解像度（解像度１０８０ｐ）を超える４ｋ２ｋ画質に対応していることを示す４ｋ２ｋ画質情報と、ディープカラー機能に対応していることを示すディープカラー情報とをさらに含むように構成されている。
【００８８】
図１に示すように、第３実施形態による表示システム１０２は、テレビジョン装置１ｂと、ハードディスクレコーダ２と、テレビジョン装置１ｂとハードディスクレコーダ２とを接続可能に構成されたＨＤＭＩケーブル３とを備える。そして、テレビジョン装置１ｂは、ＣＰＵ１１ｂを含む。
【００８９】
ここで、第３実施形態では、ＥＤＩＤは、横方向の画素数が３８４０で、かつ、縦方向の画素数が２１６０である解像度２１６０ｐに対応するとともに、解像度２１６０ｐに対応する画質機能（４ｋ２ｋ画質）に対応していることを示す４ｋ２ｋ画質情報と、ディープカラー機能に対応していることを示すディープカラー情報とを含む。また、テレビジョン装置１ｂのＥＤＩＤは、ＣＰＵ１１ｂにより、４ｋ２ｋ用画質に対応していないことを示す４ｋ２ｋ非対応情報と、ディープカラーに対応していないことを示すディープカラー非対応情報と、解像度２１６０ｐよりも低い複数の解像度（１０８０ｐ、１０８０ｉ、７２０ｐ、４８０ｐ）に対応する情報とを含む。なお、４ｋ２ｋ画質情報は、本発明の「第１解像度情報」の一例である。また、４ｋ２ｋ非対応情報は、本発明の「第１非対応情報」の一例である。また、ディープカラー非対応情報は、本発明の「第２非対応情報」の一例である。また、解像度２１６０ｐよりも低い複数の解像度（１０８０ｐ、１０８０ｉ、７２０ｐ、４８０ｐ）に対応する情報は、本発明の「第２解像度情報」の一例である。また、第３実施形態による表示システム１０２とのその他の構成は、第１実施形態における表示システム１００と同様である。
【００９０】
次に、図５および図８を参照して、第３実施形態による表示システム１０２の同期信号の異常判定およびＥＤＩＤ送受信制御処理（図５参照）、および、ＥＤＩＤ変更制御処理（図８参照）フローについて説明する。なお、テレビジョン装置１ｂにおける処理は、ＣＰＵ１１ｂにより行われる。また、ハードディスクレコーダ２における処理は、ＣＰＵ２１により行われる。
【００９１】
まず、図５に示すように、第３実施形態による表示システム１０２の同期信号の異常判定およびＥＤＩＤ送受信制御処理におけるステップＳ１〜ステップＳ４、および、ステップＳ６〜ステップＳ１４は、第１実施形態による表示システム１００の同期信号の異常判定およびＥＤＩＤ送受信制御処理におけるステップＳ１〜ステップＳ４、および、ステップＳ６〜ステップＳ１４（図５参照）と同様に処理される。そして、ステップＳ５において第３実施形態による表示システム１０２では、図８に示すように、第１実施形態による表示システム１００とは異なるＥＤＩＤ変更制御処理が行われる。
【００９２】
そして、図８に示すように、テレビジョン装置１ｂでは、ステップＳ４１において、ＥＤＩＤは、４ｋ２ｋ画質情報を含むか否かが判断される。４ｋ２ｋ画質情報を含む場合、ステップＳ４２に進み、４ｋ２ｋ画質情報を含まない場合、ステップＳ４３に進む。そして、ステップＳ４２において、ＥＤＩＤは、４ｋ２ｋ非対応情報を含むように変更される。その後、表示システム１０２のＥＤＩＤ変更制御処理は終了される。
【００９３】
また、ステップＳ４１において４ｋ２ｋ画質情報を含まない場合に進むステップＳ４３において、ＥＤＩＤは、ディープカラー情報を含むか否かが判断される。ディープカラー情報を含む場合、ステップＳ４４に進み、ディープカラー情報を含まない場合、ステップＳ４５に進む。そして、ステップＳ４４において、ＥＤＩＤは、ディープカラー非対応情報を含むように変更される。その後、表示システム１０２のＥＤＩＤ変更制御処理は終了される。
【００９４】
また、ステップＳ４３においてディープカラー情報を含まない場合に進むステップＳ４５において、ＥＤＩＤに含まれる最も高い解像度が表示部１２に表示可能な最低の解像度であるか否かが判断される。たとえば、表示部１２に表示可能な最低の解像度が解像度４８０ｐの場合には、ＥＤＩＤの対応解像度のうち、最も高い解像度が最低の解像度４８０ｐと一致するか否かが判断される。最低の解像度と一致する場合には、ステップＳ４７に進み、最低の解像度と一致しない場合は、ステップＳ４６に進む。そして、ステップＳ４６において、ＥＤＩＤは、１段階低い解像度（たとえば、１０８０ｐならば１０８０ｉ、１０８０ｉならば７２０ｐ、７２０ｐならば４８０ｐ）を最も高い解像度とする情報に変更される。その後、表示システム１０２のＥＤＩＤ変更制御処理は終了される。すなわち、ＥＤＩＤが１段階低い解像度に変更された後に、再びＥＤＩＤ変更制御処理が実行された場合には、判定毎に、最も高い解像度が１段階ずつ低い解像度に変更される。
【００９５】
そして、ステップＳ４５において表示部１２に表示可能な最低の解像度の情報が含まれている場合に進むステップＳ４７において、ケーブル異常の通知表示（図２参照）が表示部１２に表示される。その後、表示システム１０２のＥＤＩＤ変更制御処理は終了される。なお、ＥＤＩＤ変更制御処理が終了された後、再び同期信号が異常であるか否かの判定（図５のステップＳ４）が行われ、同期信号が異常であると判定された場合には、再び表示システム１０２のＥＤＩＤ変更制御処理が実行される。
【００９６】
第３実施形態では、以下のような効果を得ることができる。
【００９７】
第３実施形態では、上記のように、ＥＤＩＤを、横方向の画素数が１９２０で、かつ、縦方向の画素数が１０８０である解像度を超える解像度（たとえば、解像度２１６０ｐ）に対応していることを示す４ｋ２ｋ画質情報と、ディープカラー機能に対応していることを示すディープカラー情報とを含むように構成するとともに、変更されたＥＤＩＤを、４ｋ２ｋ画質に対応していないことを示す４ｋ２ｋ非対応情報と、ディープカラーに対応していないことを示すディープカラー非対応情報と、解像度２１６０ｐよりも低い複数の解像度（たとえば、１０８０ｐ、１０８０ｉ、７２０ｐ、４８０ｐ）に対応する解像度情報とを含むように構成する。そして、ＣＰＵ１１ｂを、同期信号が所定の第１時間（たとえば、２０秒）継続して不安定であると判定した場合は、４ｋ２ｋ非対応情報を含むＥＤＩＤを、ハードディスクレコーダ２に送信する制御を行うように構成する。そして、ＣＰＵ１１ｂを、４ｋ２ｋ非対応情報を含むＥＤＩＤを送信した後に、同期信号が所定の第１時間（たとえば、２０秒）継続して不安定であると判定した場合は、ディープカラー非対応情報を含むＥＤＩＤを、ハードディスクレコーダ２に送信する制御を行うように構成する。そして、ディープカラー非対応情報を含むＥＤＩＤを送信した後に、同期信号が所定の第１時間（たとえば、２０秒）継続して不安定であると判定した場合は、判定毎に、ＥＤＩＤに対応する複数の解像度のうちの高い方から低い方に順次下げた最も高い解像度の情報を含むＥＤＩＤを、ハードディスクレコーダ２に送信する制御を行うように構成する。
【００９８】
ここで、一般的に、４ｋ２ｋ画質に対応する状態から対応しない状態への変化、ディープカラー機能に対応している状態から対応しない状態への変化、最も高い解像度の情報を低い方に下げる変化の順に、表示部１２に表示される映像の画質の低下が視認されにくい。そこで、本発明では、ＣＰＵ１１ｂを、表示部１２に表示される映像の画質の低下が視認されにくい順で、映像の画質を下げるように制御するので、ユーザにとって、映像の画質の低下を感じさせることを極力抑制することができる。また、第３実施形態による表示システム１０２とのその他の効果は、第１実施形態における表示システム１００と同様である。
【００９９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１００】
たとえば、上記第１〜第３実施形態では、本発明の表示装置として、テレビジョン装置を用いる例を示したが、本発明はこれに限られない。本発明では、表示装置としてテレビジョン装置以外を用いてもよい。たとえば、プロジェクター等を用いてもよい。
【０１０１】
また、上記第１〜第３実施形態では、本発明の送信装置（外部送信装置）として、ハードディスクレコーダを用いる例を示したが、本発明はこれに限られない。本発明では、送信装置（外部送信装置）としてハードディスクレコーダ以外を用いてもよい。たとえば、ブルーレイディスクレコーダを用いてもよい。
【０１０２】
また、上記第１〜第３実施形態では、同期信号が不安定である状態が２０秒（第１時間）継続した場合に、同期信号は異常であると判定される例を示したが、本発明はこれに限られない。本発明では、第１時間が２０秒以外の時間であってもよい。たとえば、第１時間が２０秒未満の時間であってもよいし、２０秒を超える時間であってもよい。
【０１０３】
また、上記第１〜第３実施形態では、同期信号が安定である状態が３秒（第２時間）継続した場合に、同期信号は不安定ではない（異常ではない）と判定される例を示したが、本発明はこれに限られない。本発明では、第２時間が３秒以外の時間であってもよい。たとえば、第２時間が３秒未満の時間であってもよいし、３秒を超える時間であってもよい。
【０１０４】
また、上記第１〜第３実施形態では、本発明の表示部に表示可能な解像度として、２１６０ｐ、１０８０ｐ、１０８０ｉ、７２０ｐ、４８０ｐの解像度とする例を示したが、本発明はこれに限られない。本発明では、解像度を２１６０ｐ、１０８０ｐ、１０８０ｉ、７２０ｐ、４８０ｐ以外の解像度にしてもよい。たとえば、表示部に２１６０ｐを超える解像度により映像を表示するように構成してもよいし、４８０ｐ未満の解像度により映像を表示するように構成してもよい。
【０１０５】
また、上記第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１０６】
１、１ａ、１ｂ  テレビジョン装置（表示装置）
２  ハードディスクレコーダ（送信装置）
３  ＨＤＭＩケーブル（所定のケーブル）
１１、１１ａ、１１ｂ  ＣＰＵ（制御部）
１２  表示部
１５  ＨＤＭＩ端子（接続部）
１００、１０１、１０２  表示システム
【図１】
2015139196.tif 000003
【図２】
2015139196.tif 000004
【図３】
2015139196.tif 000005
【図４】
2015139196.tif 000006
【図５】
2015139196.tif 000007
【図６】
2015139196.tif 000008
【図７】
2015139196.tif 000009
【図８】
2015139196.tif 000010